(57)【要約】【課題】  従来は、プッシュプルグリップ１にスカート部分１１が存在しなかったか又はスカート部分の丈が短かったため、いったんプッシュプルグリップを引っ張ったあとバネの力で元に戻るとき、台座２とプッシュプルグリップ１の間に指を挟むおそれがあった。【解決手段】  アームホルダー６、グリップホルダー４、及びレバー３をピン７で連結させてから、プッシュプルグリップ１の２箇所に設けられたにスカート部分１１の枠内にグリップホルダー４を取り付け、その後、扉の壁面に固定的に取り付けた台座の凹状部分２１にアームホルダー６を取り付けるという手順をとることにより、プッシュプルグリップ１のスカート部分１１の丈を長くすることができ、その結果、台座とハンドルの間に指を挟むおそれが無くなった【選択図】図１５
2011012527.tif 000002
【特許請求の範囲】
【請求項１】
プッシュプルグリップと台座の連結部分を覆うスカート部分の先端を扉面に近接する位置にまで伸ばしたことを特徴とするプッシュプルタイプの建具用取手の指挟み防止機構
【請求項２】
アームホルダー、グリップホルダー、及びレバーをピンで連結させてから、プッシュプルグリップの２箇所に設けられたスカート部分の枠内にグリップホルダーを取り付け、その後、扉の壁面に固定的に取り付けた台座の凹状部分にアームホルダーを取り付けることによって出来上がるプッシュプルタイプの建具用取手であって、スカート部分の先端を扉面に近接する位置にまで伸ばしたことを特徴とするプッシュプルタイプの建具用取手の指挟み防止機構
【発明の詳細な説明】
【技術分野】
【０００１】  本願発明は、建具用扉に取り付けられるプッシュプルタイプの建具用取手の指挟み防止機構に関する。
【背景技術】
【０００２】  一戸建て住宅やマンション等の玄関扉や事務所の出入口用扉には、扉開閉用の取手が取り付けられるのが一般的である。建具用取手には、ノブ、レバーハンドル、プッシュプルグリップ等、様々なタイプがあるが、本願発明は、これらのうちプッシュプルグリップの指挟み防止機構に関する。【０００３】  プッシュプルグリップとは、扉の縦方向に取り付けられる棒状の取手であり、比較的重厚感のある玄関用扉に取り付けられるのが一般的である。【０００４】  また、プッシュプルグリップには、扉に完全固定されるタイプもあれば、錠前の施錠状態を解除するため手前に若干スライドするタイプのものもある。【０００５】  スライドするタイプとしては、下記特許文献に開示されているものが挙げられる。なお、完全固定のタイプは完全に周知技術・慣用技術なので先行技術文献を示すまでもない。
【先行技術文献】
【特許文献】
【０００６】
【特許文献１】特開平１０−１８６６７
【特許文献２】特開２００４−３０８３６１
【発明の概要】
【発明が解決しようとする課題】
【０００７】  プッシュプルグリップには、上述のように２種類あるが、スライドするタイプには以下のような問題がある。【０００８】  一般に、プッシュプルグリップは長い棒状であって、その両端付近に台座が取り付けられる。そして、力学的バランスからみて、グリップ中央付近を握ってプッシュプル操作をすることが想定されている。【０００９】  しかし、世の中には背の高い人もいれば背の低い人もいるので、上か下の台座に近い部分を握ってプッシュプル操作を行うことも考えられる。【００１０】  そうすると、いったんプッシュプルグリップを引っ張ったあとバネの力で元に戻るとき、台座とハンドルの間に指を挟むおそれがある。【００１１】  もちろん、従来から、プッシュプルグリップにスカート部分を設けて上記弊害を防止しようとはしていたが、図１に示すような手順で取り付けていたため、スカート部分が短くならざるを得なかった。
【課題を解決するための手段】
【００１２】  アームホルダー６、グリップホルダー４、及びレバー３の３部品をピン７で連結させてから、プッシュプルグリップ１の２箇所に設けられた長めのスカート部分１１の枠内にグリップホルダー４を取り付け、その後、扉の壁面に固定的に取り付けた台座２の凹状部分２１にアームホルダー６を取り付けることとした。【００１３】  なお、スカート部分の先端は、プッシュプルグリップを扉に取り付けたときに扉面に近接する位置にまで伸びている。
【発明の効果】
【００１４】  上述のように、本発明を構成する部品の構造及び取付手順に工夫を凝らした結果、プッシュプルグリップ１に長めのスカート部分１１を設けることができるようになった。【００１５】  その結果、台座２に近い部分を握ってプッシュプル操作を行っても、台座２とプッシュプルグリップ１の間で指を挟むおそれはなくなった。
【図面の簡単な説明】
【００１６】
【図１】従来のプッシュプルグリップ及びその取付手順
【図２】従来のプッシュプルグリップの概略図（スカート部分が短い）
【図３】本発明のプッシュプルグリップの概略図（スカート部分が長い）
【図４】レバー正面図
【図５】レバー背面図
【図６】レバー側面図
【図７】グリップホルダー中央縦断面図（斜線部を考慮しなければ、正面図となる。）
【図８】グリップホルダー側面図
【図９】グリップホルダー平面図（真上から見た図）
【図１０】アームバネ
【図１１】アームホルダー正面図
【図１２】アームホルダー側面図
【図１３】アームホルダー平面図（真上から見た図）
【図１４】本発明に係る機構を示す正面図
【図１５】プッシュプルグリップを引っ張った状態における機構図
【図１６】本発明に係る機構を示す側面図（図１４の側面図）
【図１７】スカート部分を含むプッシュプルグリップの切断面図
【図１８】プッシュプルグリップの全体図
【図１９】台座の正面図
【図２０】台座の側面図
【図２１】台座の平面図（真上から見た図）
【図２２】台座のＡＡ’断面
【図２３】台座のＢＢ’断面
【図２４】台座の底面図（真下から見た図）
【発明を実施するための形態】
【００１７】  棒状のプッシュプルグリップ１の両端付近に、台座２を覆うように、長めのスカート部分を設けた。
【実施例】
【００１８】  丸棒状のプッシュプルグリップ１の２箇所にスカート部分１１を設ける。丸棒の断面は容易に理解できるので図示しないが、スカート部分を含むプッシュプルグリップの断面は図がないと容易に理解できないので、当該断面を図１７に示す。なお、内部機構も含めた形で図示したのが、図１６である。【００１９】  スカート部分１１の枠内にグリップホルダー４を取り付ける。グリップホルダー４は、正面から見ると、図７のようにＴ字型をしており、Ｔ字の縦棒部分４４にピン７の貫通孔４１が存在する。プッシュプル操作に連動して、ピン７で連結されたアーム３１が回動する。なお、取付方法は、種々考えられるが、本実施例ではネジ止めによる。【００２０】  一方、扉の壁面に台座２を取り付ける。そして、台座凹状部分２１にアームホルダー６を取り付ける。アームホルダー６には、レバーアーム３１の回転中心３３が軸止される穴６１と、レバーアームの先端が一定範囲で円弧状に回動するピンガイド６２が存在する。アームホルダー６は、ハンドル１のプッシュプル操作を施解錠操作に変換する機構の一部であり、イの字型部品であるレバー３のアーム部分の一端を回動可能なように軸止するものである。【００２１】  しかし、グリップホルダー４やアームホルダー６を先に台座２に取り付けてしまうと、アームホルダー６、グリップホルダー４、及びレバー３を連結させるピン７を取り付けることができなくなるので、先に、これら３部品をピン７で連結させてから、グリップホルダー４をプッシュプルグリップ１に取り付ける。その後、アームホルダー６を台座２に取り付ける。【００２２】  そこで、プッシュプルグリップ１を手前に引くと、グリップホルダー４が、レバーアーム３１の先端を、アームバネ５の付勢力に抗して手前方向に引っ張る形となる。【００２３】  レバーアーム３１の先端が引っ張られると、図１５に示すように、アームホルダー６の一点で軸止されたレバー３の先端３４が回動する結果、図示しないラッチボルトが引っ込むので、開扉可能な状態となるのである。【００２４】  逆に、プッシュプルグリップ１を引っ張った手の力を緩めると、プッシュプルグリップ１はアームバネ５の付勢力に従って扉面に引っ張られ、スカート部分１１の先端が扉面に接地する。【００２５】  従来は、スカート部分の丈が短かったため、スカート部分の先端と台座の間で指を挟むおそれがあったが、本願発明では、スカート部分１１が長いため、スカート部分の先端が扉面に接地する際に指を挟むことはない。
【産業上の利用可能性】
【００２６】  本願発明は、建具用扉に取り付けられるプッシュプルタイプの建具用取手の指挟み防止機構に関するものであるから、錠前業界において利用しうるものである。つまり、産業上の利用可能性（特許法第２９条第１項柱書）を有する。
【符号の説明】
【００２７】１…プッシュプルグリップ
１１…スカート部分
２…台座
２１…台座凹状部分
３…レバー
３１…レバーアーム
３２…ピン貫通孔
３３…アームの回転中心
３４…レバー先端
４…グリップホルダー
４１…ピン貫通孔
４２…ネジ
４３…ネジ穴
４４…Ｔ字の縦棒部分
５…アームバネ
６…アームホルダー
６１…アームの回転中心が軸止される穴
６２…ピンガイド（アームの回転許容範囲でもある）
６３…ネジ穴
７…ピン
【図１】
2011012527.tif 000003
【図２】
2011012527.tif 000004
【図３】
2011012527.tif 000005
【図４】
2011012527.tif 000006
【図５】
2011012527.tif 000007
【図６】
2011012527.tif 000008
【図７】
2011012527.tif 000009
【図８】
2011012527.tif 000010
【図９】
2011012527.tif 000011
【図１０】
2011012527.tif 000012
【図１１】
2011012527.tif 000013
【図１２】
2011012527.tif 000014
【図１３】
2011012527.tif 000015
【図１４】
2011012527.tif 000016
【図１５】
2011012527.tif 000017
【図１６】
2011012527.tif 000018
【図１７】
2011012527.tif 000019
【図１８】
2011012527.tif 000020
【図１９】
2011012527.tif 000021
【図２０】
2011012527.tif 000022
【図２１】
2011012527.tif 000023
【図２２】
2011012527.tif 000024
【図２３】
2011012527.tif 000025
【図２４】
2011012527.tif 000026